(57)【要約】【課題】商品内容の説明文、イラスト等の表示面となる正面板と、この正面板が差込まれるように上端から切込まれたスリット１１を有する一対の脚板９と、この脚板の下端から切込まれたスリット２９に略直交方向に差込まれるように上端から切込まれたスリット４１を有する交差脚板４０とを備えた陳列用告知板において、正面板の支持状態を安定化させる。【解決手段】脚板９が、脚板本体１０の後端に折曲げ板２０が突設される共に、この折曲げ板に、その縦方向の折目ラインの途中から切目２５で脚板本体１０にひれ部２３を前方に向けて突設し、折曲げ板２０及びひれ部２３が、スリット２９に差込まれた交差脚板４０の背面に沿って略直交方向の折曲げ状態に拘束される。【選択図】          図１
2004333678.tif 000002
【特許請求の範囲】
【請求項１】
商品内容についての説明文、イラスト等の表示面となる正面板と、この正面板が差込まれるように上端から切込まれたスリットを有する一対の脚板と、この脚板の下端から切込まれたスリットに略直交方向に差込まれるように上端から切込まれたスリットを有する交差脚板とを備えることにより、脚板が、下端同士が揃うように交差脚板を差込まれた状態で、商品の陳列場所にセットされる陳列用告知板において、
脚板が、脚板本体の後端に縦方向の折目を介して折曲げ板を突設して構成される共に、この折曲げ板に、その縦方向の前記折目ラインの途中から前記脚板本体に食込むように切目を入れることにより、ひれ部を前方に向けて突設し、
前記脚板本体の下端から切込まれるスリットが前記折目ラインに沿って形成されることにより、前記折曲げ板及び前記ひれ部が、前記スリットに差込まれた交差脚板の背面に沿って略直交方向の折曲げ状態に拘束されることを特徴とする陳列用告知板。
【請求項２】
脚板が、脚板本体の下端に前後方向の折目を介して折重ね板をさらに突設して構成されると共に、折曲げ板の折目ラインに沿ってひれ部に形成された差込み口に差込まれるように、差込み片が、前記折重ね板の後端に突設され、
前記脚板本体及び前記折重ね板の前後方向の互いに共通の中間位置に、前記折重ね板を前記脚板本体に折重ねた状態で下端から切込まれたスリットがそれぞれ形成されると共に、これらのスリットの下端部分が、正面板に沿って延在するバーが係入されるバー係入部として形成され、
前記脚板本体が、前記折重ね板と共に、前記スリットに差込まれた交差脚板のスリットに略直交方向に差込まれた状態で、前記交差脚板の下端が前記バー係入部の上方位置を占め、また前記差込み片が前記差込み口に差込まれることにより、前記折曲げ板が折曲げ状態に拘束されることを特徴とする請求項１記載の陳列用告知板。
【請求項３】
バー係入部に係入されるバーに、このバーの上方を横断するように配列された複数個のハンガバーが取付けられると共に、脚板本体が、折重ね板と共に交差脚板のスリットに略直交方向に差込まれた状態で、前記交差脚板の下端が、前記ハンガバーに載置されることを特徴とする請求項２記載の陳列用告知板。
【請求項４】
脚板先端部分の折重ねにより脚板の高さを切換えるように、脚板本体に、折曲げ板の折目から前端部を残して食込むように切目を入れることにより山形部を形成すると共に、この山形部に、正面板が差込まれるように上端から切込まれるスリットを形成し、さらに前記脚板先端部分が折曲げられるように、前記山形部の両側の基端にそれぞれ連続する前後方向の折目を前記前端部及び前記折曲げ板に形成し、
折重ねられた前記脚板先端部分が、差込み状態の交差脚板のスリットに、前記脚板本体及び折重ねられた折重ね板と共に差込まれることを特徴とする請求項２又は請求項３記載の陳列用告知板。
【発明の詳細な説明】
【０００１】
【発明の属する技術分野】
本発明は、商品の説明、広告等を行う正面板と、この正面板が差込まれるように上端から切込まれたスリットを有する一対の脚板と、この脚板に差込むように上端から切込まれたスリットを有する交差脚板とを備えることにより、脚板が、互いの下端同士が揃うように略直交方向に交差脚板を差込まれた状態で、商品の陳列場所にセットされる陳列用告知板に関するものである。
【０００２】
【従来の技術】
この種の厚紙製の陳列用告知板としては、図８に示すように、商品内容についての説明文、イラスト等の表示面となる正面板１と、この正面板が差込まれるように上端から切込まれたスリット２ａを有する一対の脚板２と、この脚板に差込むように上端から切込まれたスリット３ａを有する交差脚板３とを備えることにより、交差脚板３が、そのスリット３ａを脚板１の下端から切込まれたスリット２ｂを通して脚板２に直交方向に差込まれ、互いの下端同士が揃った状態で、商品の陳列場所に平坦面に載置されるのが通常である。
【０００３】
【発明が解決しようとする課題】
これにより、交差脚板が脚板に直交状態になって正面板を支持しているが、脚板を高くしたり、或は厚紙の厚さによっては脚板が曲がって、支持が不安定になる問題がある。また、高さを切換式にするために標準高を高くする際には、相応に安定性を考慮する必要が生じる。さらに、脚板及び交差脚板の下端を揃えておくだけでは、平坦面以外にセットへすることができず、例えば商品を吊るすハンガを配列状態で支持するフックバー等にはセットできない問題もある。
【０００４】
本発明は、このような点に鑑みて、正面板の支持状態を一層安定化し得る冒頭に述べた類の陳列用告知板を提供することを目的とする。別の目的は、平坦面以外にも安定状態で選択的にセット可能にする陳列用告知板を提供することである。さらに別の目的は、正面板を支持する高さを安定状態を確保して切換え可能にする陳列用告知板を提供することである。
【０００５】
【課題を解決するための手段】
本発明は、前述の正面板の支持状態を一層安定化する目的を達成するために、請求項１により、商品内容についての説明文、イラスト等の表示面となる正面板と、この正面板が差込まれるように上端から切込まれたスリットを有する一対の脚板と、この脚板の下端から切込まれたスリットに略直交方向に差込まれるように上端から切込まれたスリットを有する交差脚板とを備えることにより、脚板が、下端同士が揃うように交差脚板を差込まれた状態で、商品の陳列場所にセットされる陳列用告知板において、脚板が、脚板本体の後端に縦方向の折目を介して折曲げ板を突設して構成される共に、この折曲げ板に、その縦方向の折目ラインの途中から脚板本体に食込むように切目を入れることにより、ひれ部を前方に向けて突設し、脚板本体の下端から切込まれるスリットが折目ラインに沿って形成されることにより、折曲げ板及びひれ部が、スリットに差込まれた交差脚板の背面に沿って略直交方向の折曲げ状態に拘束されることを特徴とする。脚板本体の厚み方向の曲がりに対して、交差脚板で拘束された折曲げ板が略直交方向に対抗する。
【０００６】
さらに、平坦面以外にも安定状態で選択的にセット可能にする目的を達成するためには、請求項２により、脚板が、脚板本体の下端に前後方向の折目を介して折重ね板をさらに突設して構成されると共に、折曲げ板の折目ラインに沿ってひれ部に形成された差込み口に差込まれるように、差込み片が、折重ね板の後端に突設され、脚板本体及び折重ね板の前後方向の互いに共通の中間位置に、折重ね板を脚板本体に折重ねた状態で下端から切込まれたスリットがそれぞれ形成されると共に、これらのスリットの下端部分が、正面板に沿って延在するバーが係入されるバー係入部として形成され、脚板本体が、折重ね板と共に、スリットに差込まれた交差脚板のスリットに略直交方向に差込まれた状態で、交差脚板の下端がバー係入部の上方位置を占め、また差込み片が差込み口に差込まれることにより、折曲げ板が折曲げ状態に拘束されるようにする。交差脚板には、バー関連構造等との干渉を回避する等のために、バー係入部の上方に移動せられた状態で、脚板及び折重ね板が差込まれる。折曲げ板は差込み片が差込み口に差込まれることにより、折曲げ状態に拘束される。バーにセットしない場合、折重ね板は、直交方向に曲げて陳列棚の底板で押えることができる。
【０００７】
バーを利用する場合に、請求項３により、バー係入部に係入されるバーに、このバーの上方を横断するように配列された複数個のハンガバーが取付けられると共に、脚板本体が、折重ね板と共に交差脚板のスリットに略直交方向に差込まれた状態で、交差脚板の下端が、ハンガバーに載置されることにより、バーを支点とした脚板の横方向又は前後方向の回動が確実に抑制される。
【０００８】
正面板を支持する高さを安定状態を確保して切換え可能にする目的を達成するためには、請求項４により、脚板先端部分の折重ねにより脚板の高さを切換えるように、脚板本体に、折曲げ板の折目から前端部を残して食込むように切目を入れることにより山形部を形成すると共に、この山形部に、正面板が差込まれるように上端から切込まれるスリットを形成し、さらに脚板先端部分が折曲げられるように、山形部の両側の基端にそれぞれ連続する前後方向の折目を前端部及び折曲げ板に形成し、折重ねられた脚板先端部分が、差込み状態の交差脚板のスリットに、脚板本体及び折重ねられた折重ね板と共に差込まれる。折曲げ板は折曲げられず、折重ねられた脚板先端部分は脚板及び折重ね板と共に交差脚板に差込まれて、正面板を倍厚の低い姿勢で支持する。この低い姿勢の状態で、交差脚板はバー係入部の上方に移動させることもできる。
【０００９】
【発明の実施の形態】
図１乃至図７を基に本発明の実施の形態による陳列用告知板を説明する。この陳列用告知板は、商品内容についての説明文、イラスト等の表示面となる正面板１と、この正面板が差込まれるように上端から切込まれたスリット１１を有する一対の脚板９（図１）と、この脚板に略直交方向に交差させて差込むように、前後方向の中間位置に上端から切込まれたスリット４１を有する一対の交差脚板４０とより構成され、それぞれ図２に示すように、基材層８ａの両側に白色の光沢を呈する表面板８を接着した厚紙て製作され、交差脚板４０は上端の折目で折返されて２枚重ねに形成されている。尚、厚紙は、段ボールを用いてプレスで折目を形成しても良く、場合により、厚紙に代えて樹脂板等を用いることもできる。
【００１０】
脚板９は、前後方向の中間位置に正面板１が差込まれるように上端から切込まれるスリット１１が形成された脚板本体１０の後端に、縦方向の折目２１で直交方向へ折曲げ可能に折曲げ板２０を突設し、下端に折目３４で脚板本体１０に重なるように折返される折重ね板３０を突設して形成されている。
【００１１】
折曲げ板２０の途中には、折目２１を廃止して上下の折目２１に揃う折目ライン２１ａの途中から脚板本体１０に食込むように、カッタにより円弧状の切目２５を入れて、前方に部分的に突出するひれ部２３が分離可能に形成されている。折重ね板３０の下端部分の折目ライン２１ａに沿った後端には、差込み片３１が、ひれ部２３の折目ライン２１ａに沿って形成された差込み口２６に差込まれるように、後方へ向けて突設されている。一方、折目２１の下端部分には、交差脚板４０のスリット４１より下方の残り領域に相当する長さのスリット２９が、下端から切込まれて形成されている。これにより、交差脚板４０のスリット４１がスリット２９に通して直交方向に差込まれると、脚板本体１０が、折返された折重ね板３０の差込み片３１の基端近辺と共にスリット４１に差込まれて、脚板本体１０及び交差脚板４０の下端同士が揃う。したがって、折曲げ板２０及びひれ部２３が交差脚板４０の背面に沿って略直交方向へ折曲げられた状態に拘束される。
【００１２】
また、脚板本体１０及び折重ね板３０には、この折重ね板の折重ね状態での下端、即ち折目３４から切込まれるスリット１３，３３が、同一形状に前後方向の共通の中間位置にそれぞれ互いに隣合って形成さると共に、これらのスリットの下端部分には、図６を基に後述する複数個のハンガバー７が上方を横断するように配列された断面方形のフックバー５を係入させために、バー係入部１６，３６が、スリット幅を拡大して対応の方形状に形成されている。
【００１３】
脚板本体１０には、その高さを切換えるように、折目２１から前端部を残して食込むように切目１８を入れることにより山形部１５が形成すると共に、山形部１５には、正面板１が差込まれるように上端から切込まれるスリット１９が形成され、さらに折曲げ板２０及び前述の前端部には、切目１８の両側の基端に連続する折目１７、１７ａが前後方向へ同一高さに形成されている。この折目は、脚板先端部分１０ａを折重ねた際に、同様に折重ねられた折重ね板３０と干渉せず、かつ先端同士が僅かな隙間を伴って隣合うように位置設定されている。即ち、脚板先端部分１０ａ及び折重ね板３０は略同一高さ、つまり脚板本体１０の略１／３の縦幅に設定されている。また、ひれ部２３の差込み口２６の高さ位置は、折重ね板３０の差込み片３１に一致するように設定されている。さらに、交差脚板４０の高さは、折重ね板３０よりも僅かに高く設定されて折重ねられた脚板先端部分１０ａがスリット４１に差込まれるように設定されると共に、スリット１３，３３の長さは、交差脚板４０が差込まれた状態で折返されたの脚板先端部分１０ａもスリット４１に差込まれ、かつ交差脚板４０の下端がバー係入部１６，３６の上方に位置してハンガバー７に載置されるように設定されている。
【００１４】
折目１７，１７ａ，２１，３４は、折曲げ方向に対して外側の表面板８及び基材層８ａを切断して、内側の表面板８のみが折曲げられるように形成されている。また、一対の脚板本体１０に対して脚板先端部分１０ａ、折曲げ板２０及び折重ね板３０はそれぞれ内側へ折曲げられるように設定されている。スリット１１，１９，４１は差込み状態を確保するように、蛇行して形成されている。
【００１５】
このように構成された陳列用告知板の使用方法は次の通りである。図４に示す状態で、折曲げ板２０を脚板本体１０に対して直交方向へ折目２１で内側へ折曲げると共に、折重ね板３０を折目３４で脚板本体１０の内側に折重ねて、差込み片３１を差込み口２６に差込み、スリット２９に交差脚板４０のスリット４１を差込んで、このスリットに脚板本体１０及び折重ね板３０の差込み片３１の基部近辺を差込む。これにより、図３に示すように、折曲げ板２０は、ひれ部２３と共に、交差脚板４０に沿ってその略直交方向の折曲げ位置に拘束され、また差込み片３１の差込み口２６への差込みによってもこれらの折曲げ位置が拘束され、したがって脚板本体１０の板厚方向の曲がりが折曲げ板２０の板幅により確実に抑制された状態で、スリット１１に差込まれた正面板１が安定的に支持される。
【００１６】
図５に示す状態では、折曲げ板２０は折曲げることなく脚板本体１０に沿った状態で、折重ね板３０及び脚板先端部分１０ａが内側にそれぞれ折重ねられて、交差脚板４０のスリット４１に、脚板本体１０が脚板先端部分１０ａの最先端部分及び差込み片３１の基部近辺と共に差込まれる。このように脚板９が上下から倍厚で交差脚板４０に差込まれた状態で、正面板１は山形部１５のスリット１９に差込まれて、相対的に低い姿勢で安定的に支持される。
【００１７】
図６に示す状態では、フックバー５に、コの字形のハンガバー７がブラケット６で取付けられてフックバー５に沿って直交方向に複数個配列され、フックバー５を横断する上側の短いハンガバー部分７ｂには小形の告知板７ａが取付けられている。下側の長いハンガバー部分には商品が吊るされようになっている。このように平坦面の無い陳列場所でフックバー５を利用して正面板１をセットするために、スリット１３，３３に交差脚板４０のスリット４１を差込んで、交差脚板４０はバー係入部３６の上方位置で両側のハンガバー部分７ｂに載置され、かつ折重ねられた脚板先端部分１０ａ及び折重ね板３０をスリット４１に差込んだ状態で、バー係入部１６，３６にフックバー５を係入させる。したがって、図５に示す場合と同様に折曲げ板２０を折曲げることなく、脚板９が上下から２枚重ねされて交差脚板４０に差込まれた状態で、相対的に低い姿勢で安定的に支持される。一対の交差脚板４０はそれぞれ両側の２個のハンガバー部分７ｂに載置されることにより、脚板１０の前後方向及び横方向の回動が抑制され、正面板１が安定状態で支持される。
【００１８】
尚、フックバー５に支持させて正面板１を高くする場合には、差込み片３１を差込み口２６に差込んで折曲げ板２０を交差状態に拘束して支持することも可能である。この場合も移動した交差脚板４０がハンガバー部分７ｂに載置されて安定した支持が行われる。特に、正面板が小形の場合、交差脚板の載置無しでバーのみに支持されるようにバー係入部を形成することもできる。
【００１９】
図７に示す状態では、２点鎖線で示す書棚形の陳列棚８の側板を脚板本体１０で挟み、折重ね板３０は折返されることなく陳列棚８の底板で押えることにより、位置ずれが抑制され、曲がりに対しても陳列棚８の側板で安定的に支持されている。さらに、折曲げ板２０は、陳列棚８の背板に沿った交差脚板４０によりひれ部２３と共に直交方向の折曲げ状態に拘束される。同様に、脚板先端部分１０ａを折返して高さを低くした場合でも、差込み片３１を差込み口２６に差込むこと無く、陳列棚８の側板による傾倒拘束、底板による位置ずれの抑制及び交差脚板４０とで安定に支持される。
【００２０】
【発明の効果】
請求項１の発明によれば、折曲げ板にひれ部が突設されることにより、折曲げ板が交差脚板で略直交方向の折曲げ状態に拘束され、したがって脚板の厚み方向の曲がりが抑制されて正面板の安定した支持が可能となる。
【００２１】
請求項２の発明によれば、折重ね板の差込み片が差込み口に係合することにより折曲げ板を交差状態に拘束できる。交差脚板をバー係入部の上方へ移動させて折重ね板を脚板と共に挟んでバーにセットすると、干渉するバーの関連構造を回避することも可能となる。バーにセットしない場合、直交方向に曲げた折重ね板を陳列棚の底板で押えて、陳列用告知板の位置ずれを抑制することができる。その際、請求項３の発明によれば、交差脚板が、バー上方のハンガバーに載置されることにより、脚板の前後方向或は横方向の回動が抑制され、バーの係合状態で正面板が安定に支持される。
【００２２】
請求項４の発明によれば、脚板の高さが切換え可能になると共に、その切換状態で脚板が倍厚になって交差脚板に差込まれることにより、安定状態で平坦面或はバーにセットすることができる。
【図面の簡単な説明】
【図１】本発明の実施の形態による陳列用告知板の脚板の側面図である。
【図２】図１のＡ−Ａ線断面図である。
【図３】同陳列用告知板の組立て状態での平面図である。
【図４】同陳列用告知板を通常位置の高さに支持した状態を示す斜視図である。
【図５】同陳列用告知板の高さを低くした状態の斜視図である。
【図６】同陳列用告知板をフックバーに支持させた状態の斜視図である。
【図７】同陳列用告知板の平坦面に載置される書棚形の陳列棚に位置決めさせた状態の斜視図である。
【図８】従来の陳列用告知板の斜視図である。
【符号の説明】
１  正面板
５  フックバー
９  脚板
１０  脚板本体
１０ａ  脚板先端部分
１１，１３，１９，２９，３３，４１  スリット
１５  山形部
１６，３６  バー係入部
１７，１７ａ，２１，３４  折目
１８，２５  切目
２０  折曲げ板
２３  ひれ部
２６  差込み口
３０  折重ね板
３１  差込み片
４０  交差脚板
【図１】
2004333678.tif 000003
【図２】
2004333678.tif 000004
【図３】
2004333678.tif 000005
【図４】
2004333678.tif 000006
【図５】
2004333678.tif 000007
【図６】
2004333678.tif 000008
【図７】
2004333678.tif 000009
【図８】
2004333678.tif 000010